(57)【要約】【課題】  着脱が容易であるにも拘らず、着用時の身体の伸び縮みや回転動作等の多種の運動に対しても運動追従性に優れ、かつ、体型補整の効果を十分に得ることができる、快適なボトム衣類を提供する。【解決手段】  下半身の一部を被覆するボトム衣類であって、着用時のウエストラインＬ上に帯状伸縮部材１１と、背面パネル布１２とを有し、前記帯状伸縮部材１１は、着用時に少なくともウエストラインＬから第三腰椎の範囲を覆う幅を有し、前記背面パネル布１２は、略逆三角形状であり、前記帯状伸縮部材１１よりも高伸縮性を有しており、前記背面パネル布１２は着用時の背中心付近に配置され、前記帯状伸縮部材１１は前記背面パネル布１２が配置されている以外のウエストラインＬ上に配置されていることを特徴とする。【選択図】  図１
2011236525.tif 000002
【特許請求の範囲】
【請求項１】
下半身の一部を被覆するボトム衣類であって、
着用時のウエストライン上に帯状伸縮部材と、背面パネル布とを有し、
前記帯状伸縮部材は、着用時に少なくともウエストラインから第三腰椎の範囲を覆う幅を有し、
前記背面パネル布は、略逆三角形状であり、前記帯状伸縮部材よりも高伸縮性を有しており、
前記背面パネル布は着用時の背中心付近に配置され、前記帯状伸縮部材は前記背面パネル布が配置されている以外のウエストライン上に配置されていることを特徴とするボトム衣類。
【請求項２】
前記背面パネル布の上辺部が、着用時において広背筋に沿うように配置されていることを特徴とする、請求項１記載のボトム衣類。
【請求項３】
前記背面パネル布の下端部が、着用時において、第五腰椎の位置に相当する部分まで延びていることを特徴とする、請求項１または２記載のボトム衣類。
【請求項４】
さらに、前記帯状伸縮部材よりも高伸縮性の本体布、および、前記帯状伸縮部材よりも高伸縮性、かつ、前記本体布よりも低伸縮性である裏打ち布を有し、
前記着用時のウエストライン上の前記帯状伸縮部材に、前記本体布および前記裏打ち布が重なって配置されていることを特徴とする、請求項１から３のいずれか一項に記載のボトム衣類。
【請求項５】
前記帯状伸縮部材および前記背面パネル布の下側に隣接する部分において、前記本体布および前記裏打ち布が重なって配置されていることを特徴とする、請求項４記載のボトム衣類。
【請求項６】
前記帯状伸縮部材および前記背面パネル布の下側に隣接する部分における前記本体布および前記裏打ち布が重なって配置される部分において、その中間部に前記本体布および前記裏打ち布の縫着部分を有することを特徴とする、請求項５記載のボトム衣類。
【請求項７】
前記帯状伸縮部材および前記背面パネル布の下側に隣接する部分における前記本体布および前記裏打ち布が重なって配置される部分において、前記裏打ち布の下端部が縫着されていないことを特徴とする、請求項５または６記載のボトム衣類。
【請求項８】
前記ウエストラインでの緊縛力が最も強く、前記ウエストラインの上側に隣接する前記帯状伸縮部材が配置された部分、前記ウエストラインの下側に隣接する部分、の順に緊縛力が弱くなっていることを特徴とする、請求項１から７のいずれか一項に記載のボトム衣類。
【請求項９】
衣類がガードルであることを特徴とする、請求項１から８のいずれか一項に記載のボトム衣類。
【発明の詳細な説明】
【技術分野】
【０００１】
本発明は、ボトム衣類に関する。
【背景技術】
【０００２】
従来から、特におなか周りを中心として、自分の体型を美しく見せたいという強いニーズがある。このようなニーズに応えるための技術として、各種のボトム衣類が開発されている。この一例としては、ウエスト部上辺の腹部一周に亘って幅広の伸縮性ベルト等を縫合したガードルが知られている（例えば、特許文献１参照）。このようなタイプのガードルでは、前記幅広の伸縮性ベルト等により、しっかりと腹部を押さえることができる一方、着用時の窮屈感があったり、着脱が困難であるという問題があった。そこで、前記ウエスト部上端部に、部分的に、身生地よりも伸度が大きい高伸度部を設けるという試みがなされている（例えば、特許文献２参照。）。
【先行技術文献】
【特許文献】
【０００３】
【特許文献１】特許第３５５５９３９号公報
【特許文献２】特許第４３８６９９２号公報
【発明の概要】
【発明が解決しようとする課題】
【０００４】
しかしながら、高伸縮性の生地を設けることにより、着用時の窮屈感は解消され、着脱も容易となるものの、着崩れは大きくなり、体型補整の効果は十分に得ることができない。すなわち、体型補整部分の運動時の追従性と腹部の引き締めの度合いとを両立させることは困難である。
【０００５】
そこで、本発明は、着用時の窮屈感が解消されて着脱が容易であるにも拘らず、運動追従性に優れて着崩れを防止可能であり、体型補整の効果を十分に得ることができる、快適なボトム衣類を提供することを目的とする。
【課題を解決するための手段】
【０００６】
前記目的を達成するために、本発明のボトム衣類は、下半身の一部を被覆するボトム衣類であって、
着用時のウエストライン上に帯状伸縮部材と、背面パネル布とを有し、
前記帯状伸縮部材は、着用時に少なくともウエストラインから第三腰椎の範囲を覆う幅を有し、
前記背面パネル布は、略逆三角形状であり、前記帯状伸縮部材よりも高伸縮性を有しており、
前記背面パネル布は着用時の背中心付近に配置され、前記帯状伸縮部材は前記背面パネル布が配置されている以外のウエストライン上に配置されていることを特徴とする。
【発明の効果】
【０００７】
本発明によれば、着脱が容易であるにも拘らず、着用時の身体の伸び縮みや回転動作等の多種の運動に対しても運動追従性に優れ、かつ、体型補整の効果を十分に得ることができる、快適なボトム衣類を提供することができる。
【図面の簡単な説明】
【０００８】
【図１】図１は、本発明のボトム衣類のガードルの一例（実施形態１）を示す斜視図である。図１（ａ）は前面斜視図、図１（ｂ）は背面斜視図である。
【図２】図２は、前記ガードルの帯状伸縮部材付近の断面を示す模式図である。
【図３】図３は、本発明のボトム衣類のガードルの他の例（実施形態２）を示す斜視図である。図３（ａ）は前面斜視図、図３（ｂ）は背面斜視図である。
【図４】図４は、前記ガードルの帯状伸縮部材付近の断面を示す模式図である。
【図５】図５は、本発明のボトム衣類のガードルのさらに他の例（実施形態３）を示す斜視図である。図５（ａ）は前面斜視図、図５（ｂ）は背面斜視図である。
【図６】図６は、本発明のボトム衣類を含むボディスーツの一例（実施形態４）を示す斜視図である。
【図７】図７は、本発明のボトム衣類を含むキャミソールの一例（実施形態５）を示す斜視図である。
【図８】図８は、着用評価における背中側の状態を示す図である。（ａ）は実施形態２のガードル着用時、（ｂ）は背面パネル布の形状が台形状であるガードル着用時、（ｃ）は背面パネル布の形状が四角形状であるガードル着用時である。
【発明を実施するための形態】
【０００９】
本発明のボトム衣類について、例をあげて説明する。ただし、本発明は、以下の例に限定および制限されない。
【００１０】
図１に、本発明のボトム衣類の一例としてガードルを示す（実施形態１）。図１（ａ）は、本例のボトム衣類１０（ガードル）の前面斜視図、図１（ｂ）は、背面斜視図である。図示のように、本例のガードル１０は、図１において矢印で示す位置の着用時のウエストラインＬ上に帯状伸縮部材１１と、背面パネル布１２とを有している。帯状伸縮部材１１は、着用時にウエストラインＬから第三腰椎の範囲を覆う幅を有している。背面パネル布１２は、略逆三角形状であり、帯状伸縮部材１１よりも高伸縮性の素材で形成されている。背面パネル布１２は着用時の背中心付近に配置されており、帯状伸縮部材１１は背面パネル布１２の左右端部に接続して配置され、帯状伸縮部材１１と背面パネル布１２とで、ウエストラインＬの全周を覆っている。
【００１１】
ガードル１０の本体部分は、本体布１３で構成されており、クロッチ部１６が設けられている。本体布１３の裏側の一部には裏打ち布１４が配置されている。本体布１３は、帯状伸縮部材１１よりも高伸縮性を有している。裏打ち布１４は、帯状伸縮部材１１よりも高伸縮性を有しており、かつ、本体布１３よりも低伸縮性を有している。そして、帯状伸縮部材１１において、ガードル１０着用時にウエストラインＬ上となる部分には、本体布１３および裏打ち布１４が重なって配置されている。本実施形態１においては、帯状伸縮部材１１の表側（着用時に外側となる側）に裏打ち布１４および本体布１３がこの順に重なっている。図１（ａ）および図１（ｂ）において、帯状伸縮部材１１の下端は破線で示している。本発明はこれに限定されず、帯状伸縮部材１１の裏側（着用時に肌側となる側）に本体布１３および裏打ち布１４がこの順に重なっていてもよい。本体布１３および裏打ち布１４は、折り返して縫製するなどの端始末を必要としない端部となっていることが、着用時の段差の発生の防止や、運動追従性、肌触りの点から好ましい。切断箇所のほつれ防止処理が不要である、「フリーカット素材」を用いることも好ましい。本体布１３としては、パワーネット、ツーウェイパワーネット、ツーウェイトリコット等を用いることができる。裏打ち布１４としては、例えばメッシュ状の素材、ワンウェイパワーネット、パワーネット、ツーウェイトリコット等を用いることができる。
【００１２】
帯状伸縮部材１１は、背面パネル布１２以外のウエスト部に配置されている。帯状伸縮部材１１としては、幅広のストレッチテープおよびゴムテープ等を使用することができる。帯状伸縮部材１１の幅は、着用時にウエストラインＬから第三腰椎の範囲を覆う幅を有しており、３〜１５ｃｍの範囲内にあることが好ましく、５ｃｍ前後であることがより好ましい。第三腰椎は、腰部の回旋運動時に作用する腰回旋筋に繋がっているため、帯状伸縮部材１１が第三腰椎の位置を覆う幅であると、ウエスト部をより広範囲に補整することができ、また、着用時に肋骨に干渉することもない。帯状伸縮部材１１は、着崩れを防止するという観点から、長さ方向には伸縮するが、幅方向には伸縮し難い素材であることが好ましい。
【００１３】
背面パネル布１２は、前述のとおり、略逆三角形状に配置されている。背面パネル布１２は、帯状伸縮部材１１よりも高伸縮性を有している。本例においては、背面パネル布１２は、本体布１３と同一の素材を用い、折り返し（ワサ）始末がされて２枚が重ね合わされている。前記折り返し始末をした部分が、上辺部（略逆三角形状の底辺に相当）となっている。折り返し始末をすることにより、着用時にしっかりと係止することができる。そのため、従来のガードルのように、背中肌側部分にテープ材等を設けることなく、十分な着用安定感を得ることができる。また、広幅での折り返し始末であるので、上辺部における身体への食い込みを低減することができる。このように、ガードル１０のウエスト部分の一部に、高伸縮性の背面パネル布１２を設けることにより、着脱を容易にしつつ、スムージングする（段差なく押さえる）ことができる。
【００１４】
また、背面パネル布１２は、広背筋に沿って配置されていることが好ましい。上体の旋回時には、広背筋が伸縮する。背面パネル布１２が前記広背筋に沿って配置されていることで、背面パネル布１２が上体の旋回に追従するように伸縮するため、着用時に着崩れが生じにくい。また、座ったとき、ウエスト周辺部分に衣類の食い込みが生じにくい。背面パネル布１２の上辺部は、１０〜１５ｃｍの範囲内にあることが好ましく、１２ｃｍ前後であることがより好ましい。前記幅は、着用者の体型に応じ、広背筋の配置に沿って調整することもできる。背面パネル布１２の下端部は、着用時の第五腰椎の位置（仙骨の上部位置）に相当する部分まで延びていることが好ましい。なお、背面パネル布１２が配置されている背中心付近は、腹部や脇部に比べて一般的に脂肪の沈着が比較的少ないため、補整の必要性が低い部分であり、このような部分に高伸縮性の部材を設けることで、着脱容易性は確保されつつ補整機能も失われないボトム衣類を得ることができる。
【００１５】
図２は、ガードル１０の帯状伸縮部材１１付近の断面を示す模式図である。着用時にウエストラインＬを被覆する領域Ａには、帯状伸縮部材１１と本体布１３と裏打ち布１４とが重なって配置されている。領域Ａの幅は、０．５〜３ｃｍの範囲内にあることが好ましく、１〜２ｃｍの範囲内にあることがより好ましい。領域Ａの下側に隣接する領域Ｂでは、本体布１３と裏打ち布１４とが重なって配置されている。領域Ａの上側に隣接する領域Ｃでは、帯状伸縮部材１１が配置されている。このように配置することで、最も強い力で緊縛する領域Ａの力を、領域Ｂおよび領域Ｃに分散させることができる。緊縛力は、前記ウエストラインＬを被覆する領域Ａにおいて最も強く、領域Ａの上側に隣接する帯状伸縮部材１１が配置された部分（領域Ｃ）、領域Ａの下側に隣接する部分（領域Ｂ）、の順に弱くなっていることが好ましい。また、隣接する各領域においては、領域Ａおよび領域Ｂには本体布１３と裏打ち布１４とが連続して配置され、また、領域Ａおよび領域Ｃには帯状伸縮部材１１が連続して配置される、というように、連続して配置される部材があるため、分散が均質化されやすく、領域間での段差は生じにくい。
【００１６】
図３には、本発明のボトム衣類のガードルの他の例を示す（実施形態２）。図３（ａ）は、本実施形態２のボトム衣類２０（ガードル）の前面斜視図、図３（ｂ）は、背面斜視図である。図示のように、本実施形態２のガードル２０は、ウエスト部分周辺の表側（着用時に外側となる側）に、伸縮性を有するレース部材２５が設けられている他は、実施形態１のガードル１０と同様の構成である。図３（ａ）および図３（ｂ）において、帯状伸縮部材１１の下端は破線で示しており、本体布１３の上端は二点鎖線で示している。伸縮性を有するレース部材２５を設けることで、意匠性の向上を図ることができる。レース部材２５は、少なくとも着脱時における帯状伸縮部材１１の伸縮に連動する程度の伸縮性を有している。レース部材２５としては、いわゆるストレッチレース等を使用することができる。
【００１７】
図４は、ガードル２０の帯状伸縮部材１１付近の断面を示す模式図である。着用時にウエストラインＬを被覆する領域Ａには、帯状伸縮部材１１と本体布１３と裏打ち布１４とレース部材２５とが重なって配置されている。領域Ａの下側に隣接する領域Ｂ１では、本体布１３と裏打ち布１４とレース部材２５とが重なって配置されている。領域Ｂ１の幅は、０．５〜４ｃｍの範囲内にあることが好ましく、１〜３ｃｍの範囲内にあることがより好ましい。領域Ｂ１の下側に隣接するＢ２では、本体布１３と裏打ち布１４とが重なって配置されている。領域Ａの上側に隣接する領域Ｃでは、帯状伸縮部材１１とレース部材２５とが配置されている。このように配置することで、最も強い力で緊縛する領域Ａの力を、領域Ａの下部において、領域Ｂ１および領域Ｂ２に、より段階的に分散させることができ、より好ましい。また、レース部材２５は、領域Ｃ、領域Ａおよび領域Ｂ１に亘って配置されているので、前記各領域間での段差がより生じにくくなる。
【００１８】
裏打ち布１４は、下端部が本体布１３に縫着されていないことが好ましい。裏打ち布１４は、本体布１３の着用時に内側になる側に部分的に配置されることが好ましいが、裏打ち布１４の端部を本体布１３に縫着すると、着用時に裏打ち布１４の端部に沿って、段差が生じやすくなる。そのため、裏打ち布１４の端部は縫い留めをしないことで、着用時の追従性を確保し、段差の発生を抑制することができる。
【００１９】
本体布１３と裏打ち布１４とは、端部以外の部分において縫着部分を有することは好ましい。図３および図４において、Ｓは縫着部分である。縫着部分より下部の領域Ｂ３に比べ、前記領域Ｂ２は、縫着により緊縛力を若干強くすることができる。本例のガードル２０において、縫着部分Ｓの位置は、腸骨稜付近（背面パネル布１２の下端部よりも１．５〜３ｃｍ程度下がった位置）から、ヒップ膨出部の上部端に沿って脇まで延ばし、脇から前側に向けて大腿部の上端に沿った線付近に設けられ、クロッチ部１６付近まで延びている。本発明のボトム衣類においては、これに限定されず、縫着部分Ｓは、着用時における腹部部分等、パワーを加えて補整を行いたい部分に設けてもよい。
【００２０】
図５は、本発明のボトム衣類の他の例である、クロッチ部を有さないタイプの腹巻状のガードル３０である（実施形態３）。図５（ａ）は、本実施形態３のガードル３０の前面斜視図、図５（ｂ）は、背面斜視図である。図示のように、本実施形態３のガードル３０は、クロッチ部を有さない他は、前記実施形態２のガードル２０と同様の構成である。
【００２１】
本実施形態３のガードル３０のように、クロッチ部を有していない場合であっても、帯状伸縮部材１１がウエストラインから第三腰椎を覆っており、身体の動きに追従する略逆三角形状の背面パネル布１２を有していることで、着用時の着崩れやずり上がりを防止することができ、良好な着用感が得られる。
【００２２】
本体布１３は、上記各態様のガードルにおけるものに限定されず、下半身の少なくとも一部を被覆するように配置されていればよい。また、本体布１３が、さらに、着用者の胴体を被覆するように配置されていてもよい。この場合、本体布１３は、着用者の胴体の少なくとも一部を締め付けるように形成されていることも好ましい。着用者の胴体の少なくとも一部を締め付けるためには、締め付けたい部分の布地の伸度を、隣接する部分の布地の伸度よりも低くなるように、伸度を切り替えて形成してもよい。
【００２３】
図６は、本発明のボトム衣類を含むボディスーツの一例を示す図である（実施形態４）。このボディスーツ４０のボトム部分の態様は、図１で示した実施形態１のガードル１０と同一概念のもとに設計されている。本実施形態４のように、本発明は、ボトム衣類にさらにブラジャー部分４６および身頃部４７を設けてもよい。
【００２４】
図７は、本発明のボトム衣類の構成を含む、下半身の一部を覆うキャミソールの一例を示す図である（実施形態５）。このキャミソール５０のボトム部分（下半身の一部を覆う部分）の態様は、図５で示した実施形態３のガードル３０と同一概念のもとに設計されており、ニット製などのフィットタイプのキャミソールに好適である。本実施形態５のように、本発明は、ボトム衣類にさらに身頃部５７を設けてもよい。このような構成とすると、着用中の身頃部のずり上がりを防ぐことができる点でも好ましい。本発明のボトム衣類の構成を含む衣類は、これに限定されず、さらに、スカート部が設けられたスリップ等に適用することも可能である。
【００２５】
図８は、着用評価における背中側の状態を示す図である。（ａ）は実施形態２のガードル着用時、（ｂ）は背面パネル布の形状が台形状であるガードル着用時、（ｃ）は背面パネル布の形状が四角形状であるガードル着用時である。それぞれの図で、左側が静止時（正面向き）であり、右側が右旋回時（上体を右手を前に出す方向にひねった状態）である。本実施形態に係るガードル着用時には、静止時および右旋回時ともに、ガードルに皺が生じていないことがわかる。（ｂ）のガードルでは、静止時に皺は生じていないものの、右旋回時時には帯状伸縮部材と重なっているレース部材および背面パネル布のウエスト部分付近に皺が生じていることがわかる。（ｃ）のガードルでは、静止時および右旋回時ともに、ガードルに皺が生じていることがわかる。
【００２６】
以上、実施の形態の具体例として、ガードル、ボディスーツ、キャミソールをあげて本発明を説明したが、本発明のボトム衣類は、これらの具体例で記載されたもののみに限定されるものではなく、ウエストニッパー、ワンピースタイプやセパレートタイプの水着、レオタード、その他各種のボトム部を有する衣類に適用できる。
【産業上の利用可能性】
【００２７】
本発明のボトム衣類は、種々の態様が可能である。例えば、上記の実施形態のようなファンデーション衣類以外にも、スポーツ衣類、アウターなど、各種のボトム部を有する衣類に適用できる。
【符号の説明】
【００２８】
１０、２０  ボトム衣類（ガードル）
１１  帯状伸縮部材
１２  背面パネル布
１３  本体布
１４  裏打ち布
１６  クロッチ部
２５  レース部材
３０  ガードル（クロッチ部なし）
４０  ボディスーツ
４６  ブラジャー部分
４７、５７  身頃部
５０  キャミソール
【図１】
2011236525.tif 000003
【図２】
2011236525.tif 000004
【図３】
2011236525.tif 000005
【図４】
2011236525.tif 000006
【図５】
2011236525.tif 000007
【図６】
2011236525.tif 000008
【図７】
2011236525.tif 000009
【図８】
2011236525.tif 000010